(57)【要約】【課題】認証操作を行う際の操作シーケンスが第三者に見られるのを防ぐことが可能な電子機器、及びその遠隔操作装置、並びに遠隔操作装置の制御方法を提供する。【解決手段】暗証キーが操作された後に数字キーが操作されると、制御部５０は、操作された数字キーに対応する１桁の数字を表す数字データを暗証番号記憶部５１ａに記憶させ、以降、数字キーが操作される度に、これに対応する数字データを暗証番号記憶部５１ａに追加していく。その後、電源キーが操作されると、制御部５０は、プロジェクタ本体の電源をオンにするための制御情報（電源オン情報）を送信部５３に出力し、次いで、暗証番号記憶部５１ａに記憶されている数字データを、暗証番号を表す制御情報（暗証番号情報）として、入力（操作）された順序に従って順次送信部５３に出力する。この結果、電源オン情報及び暗証番号情報が、赤外線の点滅信号として送信部５３から順次送信される。【選択図】図３
2009021743.tif 000002
【特許請求の範囲】
【請求項１】
機器本体を遠隔操作するための遠隔操作装置を備えた電子機器であって、
前記遠隔操作装置は、
前記機器本体の使用許可を得るための認証操作を受け付ける複数の認証キーと、
前記複数の認証キーになされた前記認証操作のシーケンスを記憶する記憶部と、
前記記憶部に記憶された前記シーケンスを前記機器本体に送信させるための送信キーと、
前記送信キーが操作された場合に、前記シーケンスを送信する送信部と、
を備え、
前記機器本体は、
前記シーケンスを受信する受信部と、
前記受信部で受信した前記シーケンスの正当性を検証し、前記シーケンスが正当である場合に、当該機器本体の使用を許可する制御部と、
を備えたことを特徴とする電子機器。
【請求項２】
請求項１に記載の電子機器であって、
前記遠隔操作装置の前記送信キーは、前記機器本体の動作状態をスタンバイ状態からオン状態に切り替えるための電源キーであることを特徴とする電子機器。
【請求項３】
請求項２に記載の電子機器であって、
前記制御部は、前記受信部で受信した前記シーケンスが正当である場合に、前記機器本体をオン状態に切り替えることを特徴とする電子機器。
【請求項４】
請求項１〜３のいずれか１項に記載の電子機器であって、
前記機器本体は、
光源と、
前記光源から射出された光を変調して画像を形成する光変調装置と、
を備え、
前記制御部は、前記受信部で受信した前記シーケンスが正当である場合に、前記光源を点灯させることを特徴とする電子機器。
【請求項５】
電子機器の機器本体を遠隔操作するための遠隔操作装置であって、
前記機器本体の使用許可を得るための認証操作を受け付ける複数の認証キーと、
前記複数の認証キーになされた前記認証操作のシーケンスを記憶する記憶部と、
前記記憶部に記憶された前記シーケンスを前記機器本体に送信させるための送信キーと、
前記送信キーが操作された場合に、前記シーケンスを送信する送信部と、
を備えたことを特徴とする遠隔操作装置。
【請求項６】
電子機器の機器本体を遠隔操作するための遠隔操作装置の制御方法であって、
前記機器本体の使用許可を得るための認証操作を受け付ける第１のステップと、
前記認証操作のシーケンスを記憶する第２のステップと、
記憶された前記シーケンスを前記機器本体に送信させるための送信キーの操作を受け付ける第３のステップと、
前記第３のステップで前記送信キーが操作された場合に、前記シーケンスを送信する第４のステップと、
を備えたことを特徴とする遠隔操作装置の制御方法。
【発明の詳細な説明】
【技術分野】
【０００１】
本発明は、認証操作を行うことによって使用可能となる電子機器、及びその遠隔操作装置、並びに遠隔操作装置の制御方法に関する。
【背景技術】
【０００２】
近年、特許文献１に記載の投射装置（プロジェクタ）のように、第三者による不正使用を防止するため、所定の認証操作が行われた場合にのみ使用可能となる電子機器が知られている。このような電子機器を使用するためには、機器本体に備わる操作部や、機器本体を遠隔操作するためのリモコンに対して、所定のシーケンスの操作（例えば、暗証番号の入力操作等）を行う必要がある。
【０００３】
【特許文献１】特開２００５−３３８６０４号公報
【発明の開示】
【発明が解決しようとする課題】
【０００４】
しかしながら、機器本体の操作部を用いて認証操作を行う際には、機器本体付近にいる第三者に操作シーケンスが見られてしまう恐れがある。また、リモコンを用いて認証操作を行う場合であっても、機器本体との通信が可能な状態でリモコンを操作しなければならないため、操作シーケンスが第三者に見られないようにすることは困難であった。
【課題を解決するための手段】
【０００５】
本発明は、上述の課題の少なくとも一部を解決するためになされたものであり、以下の形態又は適用例として実現することが可能である。
【０００６】
［適用例１］本適用例に係る電子機器は、機器本体を遠隔操作するための遠隔操作装置を備えた電子機器であって、前記遠隔操作装置は、前記機器本体の使用許可を得るための認証操作を受け付ける複数の認証キーと、前記複数の認証キーになされた前記認証操作のシーケンスを記憶する記憶部と、前記記憶部に記憶された前記シーケンスを前記機器本体に送信させるための送信キーと、前記送信キーが操作された場合に、前記シーケンスを送信する送信部と、を備え、前記機器本体は、前記シーケンスを受信する受信部と、前記受信部で受信した前記シーケンスの正当性を検証し、前記シーケンスが正当である場合に、当該機器本体の使用を許可する制御部と、を備えたことを特徴とする。
【０００７】
この電子機器によれば、認証キーになされた認証操作のシーケンスは、一旦記憶部に記憶され、送信キーが操作された場合に機器本体に送信されるため、認証操作（認証キーの操作）を行っている間は、遠隔操作装置を、機器本体との通信が可能な状態にする必要がなくなる。この結果、機器本体の使用許可を得るための認証操作を、第三者に見られることなく行うことが容易になる。
【０００８】
［適用例２］上記適用例に係る電子機器において、前記遠隔操作装置の前記送信キーは、前記機器本体の動作状態をスタンバイ状態からオン状態に切り替えるための電源キーであることが望ましい。
【０００９】
この電子機器によれば、機器本体の動作状態をスタンバイ状態からオン状態に切り替えるための電源キーを操作することにより、記憶部に記憶されているシーケンスが送信されるため、機器本体のオン操作とは別にシーケンスの送信操作を行う必要がなくなり、利便性が向上する。
【００１０】
［適用例３］上記適用例に係る電子機器において、前記制御部は、前記受信部で受信した前記シーケンスが正当である場合に、前記機器本体をオン状態に切り替えることが望ましい。
【００１１】
この電子機器によれば、受信部で受信したシーケンスが正当である場合に、制御部が機器本体をオン状態とするため、正当性の検証が済むまで機器本体をスタンバイ状態にしておくことが可能となり、電力の消費が抑制される。また、検証の結果、シーケンスが正当でない場合には、スタンバイ状態が継続することになるため、不正な第三者の操作によって電力が消費されてしまう事態を抑制することができる。
【００１２】
［適用例４］上記適用例に係る電子機器において、前記機器本体は、光源と、前記光源から射出された光を変調して画像を形成する光変調装置と、を備え、前記制御部は、前記受信部で受信した前記シーケンスが正当である場合に、前記光源を点灯させることが望ましい。
【００１３】
この電子機器によれば、光を射出する光源を備えており、遠隔操作装置から送信されるシーケンスが正当である場合に光源を点灯させる構成であるため、正当性の検証が済むまで光源を消灯させておくことが可能となり、電力の消費が抑制される。また、検証の結果、シーケンスが正当でない場合には、光源が消灯した状態が継続することになるため、不正な第三者の操作による電力の消費や光源の消耗が抑制され、機器本体の長寿命化を図ることが可能となる。
【００１４】
［適用例５］本適用例に係る遠隔操作装置は、電子機器の機器本体を遠隔操作するための遠隔操作装置であって、前記機器本体の使用許可を得るための認証操作を受け付ける複数の認証キーと、前記複数の認証キーになされた前記認証操作のシーケンスを記憶する記憶部と、前記記憶部に記憶された前記シーケンスを前記機器本体に送信させるための送信キーと、前記送信キーが操作された場合に、前記シーケンスを送信する送信部と、を備えたことを特徴とする。
【００１５】
この遠隔操作装置によれば、認証キーになされた認証操作のシーケンスは、一旦記憶部に記憶され、送信キーが操作された場合に電子機器に送信されるため、認証操作（認証キーの操作）を行っている間は、遠隔操作装置を、機器本体との通信が可能な状態にする必要がなくなる。この結果、機器本体の使用許可を得るための認証操作を、第三者に見られることなく行うことが容易になる。
【００１６】
［適用例６］本適用例に係る遠隔操作装置の制御方法は、電子機器の機器本体を遠隔操作するための遠隔操作装置の制御方法であって、前記機器本体の使用許可を得るための認証操作を受け付ける第１のステップと、前記認証操作のシーケンスを記憶する第２のステップと、記憶された前記シーケンスを前記機器本体に送信させるための送信キーの操作を受け付ける第３のステップと、前記第３のステップで前記送信キーが操作された場合に、前記シーケンスを送信する第４のステップと、を備えたことを特徴とする。
【００１７】
この制御方法によれば、遠隔操作装置になされた認証操作のシーケンスは、一旦記憶され、送信キーが操作された場合に電子機器に送信されるため、認証操作を行っている間は、遠隔操作装置を、電子機器との通信が可能な状態にする必要がなくなる。この結果、電子機器の使用許可を得るための認証操作を、第三者に見られることなく行うことが容易になる。
【００１８】
また、上述した遠隔操作装置及びその制御方法が遠隔操作装置に備えられたコンピュータ（ＣＰＵ）を用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、遠隔操作装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００１９】
以下、電子機器の実施形態として、入力される画像情報に基づく画像（入力画像）を投写して、スクリーンや壁面等にこの入力画像を表示するプロジェクタについて説明する。本実施形態のプロジェクタは、暗証番号を用いてユーザの認証を行うユーザ認証機能を備えており、ユーザにより入力される暗証番号に基づいて入力画像の表示を許可したり、禁止したりすることができる。なお、このユーザ認証機能は、有効と無効とを切り替え可能になっており、ユーザ認証機能が無効の場合には、暗証番号を入力することなく入力画像を表示させることができる。
【００２０】
図１は、プロジェクタの概略構成を示すブロック図である。
図１に示すように、プロジェクタ１は、機器本体としてのプロジェクタ本体２と、遠隔操作装置としてのリモコン４０とで構成され、プロジェクタ本体２は、画像投写部１０、制御部２０、記憶部２１、入力端子群２２、入力ソース選択部２３、画像処理部２４、電源回路２５、光源制御部２６、ＬＥＤ表示部２７、受信部２８等を備えている。
【００２１】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、表示部に相当するものであり、光源１１から射出された光を、液晶ライトバルブ１２Ｒ，１２Ｇ，１２Ｂで変調して画像（画像光）を形成し、この画像を投写レンズ１３から投写してスクリーンＳＣ等に表示する。
【００２２】
光源１１は、高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２４】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ本体２の動作を統括制御する。つまり、制御部２０は、記憶部２１とともにコンピュータとして機能する。
【００２５】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ本体２の動作を制御するための制御プログラムや、プロジェクタ本体２の動作条件等を規定する各種設定データ等が記憶されている。本実施形態の記憶部２１には、ユーザ認証機能が有効か無効かを示す設定データが記憶されているとともに、ユーザ認証機能が有効の場合に必要となる暗証番号が、暗証番号情報として記憶されている。なお、この暗証番号は、例えば４桁の数字からなり、ユーザによって任意の値に設定することが可能になっている。
【００２６】
入力端子群２２は、ビデオ再生装置やパーソナルコンピュータ等、図示しない外部の画像供給装置から、各種形式の画像情報を入力可能な複数の入力端子２２ａを備えている。各入力端子２２ａに入力された画像情報は、入力ソース選択部２３に供給される。
【００２７】
入力ソース選択部２３は、複数の入力端子２２ａのうち、制御部２０の指示に基づく１つの入力端子２２ａを選択し、この入力端子２２ａに入力される画像情報を画像処理部２４に出力する。ユーザが、リモコン４０に備わる入力ソース切替キーを操作して所望の入力端子２２ａを指定すると、制御部２０は、この入力端子２２ａに入力されている画像情報が画像処理部２４に出力されるよう、入力ソース選択部２３に指示をする。
【００２８】
画像処理部２４は、入力ソース選択部２３から入力される各種形式の画像情報を、液晶ライトバルブ１２Ｒ，１２Ｇ，１２Ｂの各画素の階調を表す画像情報、即ち各画素に印加する駆動電圧を規定するための画像情報に変換する。さらに、制御部２０の指示に基づいて、変換した画像情報に対して、明るさ、コントラスト、シャープネス、色合い等を調整するための処理や、入力画像上に設定メニュー等を重畳させるための処理等を行う。画像処理部２４で画質調整等がなされた画像情報は、ライトバルブ駆動部１４に出力される。
【００２９】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像（画像光）を形成し、この画像が投写レンズ１３からスクリーンＳＣに投写される。
【００３０】
電源回路２５には、外部からＡＣ１００Ｖ等の商用電源が供給される。電源回路２５は、商用電源（交流電源）を所定の電圧の直流電源に変換して、プロジェクタ本体２の各部に電力を供給する。なお、制御部２０は、電源回路２５から電力の供給を受けて動作している間、電源回路２５に指示をして、画像の投写に必要な電力（動作電力）の供給と停止とを切り替えることができる。
【００３１】
光源制御部２６は、制御部２０の指示に基づいて、光源１１に対する電力の供給と停止とを制御し、光源１１の点灯及び消灯を切り替える。
【００３２】
ＬＥＤ表示部２７は、複数のＬＥＤ（発光ダイオード）からなるインジケータであり、制御部２０の指示に基づいてその点灯状態を切り替えることにより、ユーザにプロジェクタ本体２の動作状態等を報知する。なお、ＬＥＤ表示部２７は、ＬＥＤの点灯状態、即ちＬＥＤの点灯、点滅、消灯、発光色等を適宜切り替えることによって、多数の動作状態を表すことが可能になっている。
【００３３】
受信部２８は、リモコン４０から赤外線の点滅信号として送信される各種制御情報を制御部２０に伝達するものであり、受光装置やデコーダ（いずれも図示せず）等で構成されている。受信部２８は、点滅信号を受光装置によって受光して電気信号に変換した後、デコーダによって復調して制御部２０に出力する。
【００３４】
次に、リモコン４０について説明する。
図２は、リモコン４０の平面図であり、図３は、リモコン４０の概略構成を示すブロック図である。
リモコン４０は、プロジェクタ本体２を遠隔操作するためのものであり、ユーザの入力操作を受け付ける複数の操作キーを備えている。リモコン４０が備える操作キーとしては、図２に示すように、電源のオン・オフを切り替えるための電源キー４１、各種設定を行うための設定メニューを表示させるメニューキー４２、設定メニューにおける項目の選択等に用いられる上方向キー４３及び下方向キー４４、設定メニューで選択された項目を決定するための決定キー４５、操作の取り消し等を行うための取消キー４６、入力ソース（画像情報の供給元）を切り替えるための入力ソース切替キー４７、暗証番号の入力等に用いられ、０〜９の各数字に対応する１０個の数字キー４８、暗証番号を入力する前に操作される暗証キー４９等がある。
【００３５】
図３に示すように、リモコン４０は、上記の操作キー４１〜４９に加えて、制御部５０、記憶部５１、キー検出部５２、送信部５３等によって構成されている。
【００３６】
制御部５０は、ＣＰＵ等からなり、記憶部５１に記憶されている制御プログラムに従って動作することによりリモコン４０の動作を統括制御する。つまり、制御部５０は、記憶部５１とともにコンピュータとして機能する。また、制御部５０には、計時を行うためのタイマ５０ａが備えられている。
【００３７】
記憶部５１は、ＲＯＭ又はＲＡＭにより構成され、リモコン４０の動作を制御するための制御プログラムや各種データ等を記憶する。また、記憶部５１には、ユーザにより入力された暗証番号を記憶するための暗証番号記憶部５１ａが含まれている。
【００３８】
キー検出部５２は、各操作キー４１〜４９が押下（操作）されたことを検出して、押下された操作キーを特定可能な検出信号を制御部５０に出力する。制御部５０は、キー検出部５２から検出信号が入力されると、この検出信号に応じた処理、即ち押下された操作キーに応じた処理を行うようになっている。例えば、メニューキー４２、上方向キー４３、下方向キー４４、決定キー４５、取消キー４６、入力ソース切替キー４７が操作された場合には、制御部５０は、押下された操作キーに対応する制御情報を生成して送信部５３に出力する。
【００３９】
送信部５３は、赤外線通信用のエンコーダや赤外線発光装置（いずれも図示せず）等で構成され、制御部５０から入力される制御情報をエンコーダで変調し、赤外線発光装置により赤外線の点滅信号として外部に送信する。
【００４０】
次に、プロジェクタ本体２の電源をオンにする際のリモコン４０の動作について説明する。
プロジェクタ本体２の電源をオンにして、プロジェクタ本体２を動作可能な状態（オン状態）とするためには、ユーザは、リモコン４０の送信部５３をプロジェクタ本体２の受信部２８に向け、プロジェクタ本体２との通信が可能な状態にして電源キー４１を操作する必要がある。ただし、ユーザ認証機能が有効の場合には、ユーザは、電源キー４１の操作に先立って、暗証キー４９を操作し、その後でユーザ認証を受けるための暗証番号を入力する必要がある。なお、これ以降、プロジェクタ本体２をオン状態にするためにリモコン４０に対して行う操作を「オン操作」とも呼ぶ。
【００４１】
図４は、オン操作を行う際のリモコン４０の動作を説明するためのフローチャートである。暗証キー４９が操作されて、キー検出部５２からその旨を表す検出信号が入力されると、制御部５０は、図４に示すフローに従って動作する。
図４に示すように、ステップＳ１０１では、制御部５０は、暗証番号記憶部５１ａの初期化を行う。具体的には、制御部５０は、暗証番号を記憶していないことを示すデータを暗証番号記憶部５１ａに書き込むことにより、その内容をクリアする。
【００４２】
ステップＳ１０２では、制御部５０は、暗証キー４９が操作されてからの経過時間を測定するために、タイマ５０ａによる計時を開始する。
【００４３】
ステップＳ１０３では、制御部５０は、キー検出部５２からの検出信号に基づいて、いずれかの１つの数字キー４８が操作されたか否かを判断する。この結果、数字キー４８が操作された場合にはステップＳ１０４に移行し、数字キー４８が操作されなかった場合にはステップＳ１０５に移行する。
【００４４】
数字キー４８が操作されてステップＳ１０４に移行した場合には、制御部５０は、操作された数字キー４８に対応する１桁の数字を表す数字データを暗証番号記憶部５１ａに記憶させ、ステップＳ１０３に戻る。以降、ステップＳ１０４では、数字キー４８が操作される度に、これに対応する数字データを暗証番号記憶部５１ａに追加していく。
【００４５】
ステップＳ１０３において数字キー４８が操作されずステップＳ１０５に移行した場合には、制御部５０は、キー検出部５２からの検出信号に基づいて、電源キー４１が操作されたか否かを判断する。この結果、電源キー４１が操作された場合にはステップＳ１０７に移行し、電源キー４１が操作されなかった場合にはステップＳ１０６に移行する。
【００４６】
ステップＳ１０５において電源キーが操作されずにステップＳ１０６に移行した場合には、制御部５０は、タイマ５０ａの計時結果に基づいて、暗証キー４９が操作されてから所定時間（本実施形態では２０秒）が経過したか否かを判断する。この結果、所定時間に達していない場合にはステップＳ１０３に戻り、所定時間に達した場合にはステップＳ１０９に移行する。
【００４７】
ステップＳ１０５において電源キーが操作されてステップＳ１０７に移行した場合には、制御部５０は、プロジェクタ本体２の電源をオンにするための制御情報（電源オン情報）を送信部５３に出力する。次いで、ステップＳ１０８では、制御部５０は、暗証番号記憶部５１ａに記憶されている数字データを、暗証番号を表す制御情報（暗証番号情報）として、入力（操作）された順序に従って順次送信部５３に出力する。この結果、電源オン情報及び暗証番号情報が、赤外線の点滅信号として送信部５３から順次送信される。
【００４８】
ステップＳ１０９では、制御部５０は、タイマ５０ａによる計時を停止し、続くステップＳ１１０では、制御部５０は、暗証番号記憶部５１ａを初期化して処理を終了する。
【００４９】
このように、ユーザ認証機能が有効の場合にオン操作を行うためには、ユーザは、まず暗証キー４９を操作し、次いで数字キー４８により暗証番号を入力し、その後で電源キー４１を操作する必要がある。このとき、入力された暗証番号は、一旦暗証番号記憶部５１ａに記憶され、電源キー４１が操作されたときにプロジェクタ本体２に送信されるため、暗証番号を入力している間は、リモコン４０をプロジェクタ本体２に向けている必要はない。また、ユーザは、暗証キー４９を操作した後、所定時間に達する前に暗証番号の入力（数字キー４８の操作）と電源キー４１の操作を行う必要がある。電源キー４１の操作を行う前に所定時間が経過した場合には、それまでに入力された暗証番号は、ステップＳ１１０の初期化により破棄される。
【００５０】
なお、暗証キー４９を操作せずに電源キー４１を操作した場合、及び暗証キー４９を操作した後に、暗証番号の入力をせずに電源キー４１を操作した場合には、電源オン情報のみが送信部５３から送信され、暗証番号情報は送信されない。また、誤った暗証番号を入力してしまった場合等には、再度暗証キー４９を操作してステップＳ１０１からやり直すことにより、暗証番号を入力し直すことができる。この場合でも、ステップＳ１０１で暗証番号記憶部５１ａが初期化されるため、新たに入力される数字データが、以前入力された数字データに追加されることはない。
【００５１】
次に、プロジェクタ本体２の動作について説明する。
プロジェクタ本体２に商用電源が供給されると、電源回路２５は、制御部２０、記憶部２１、受信部２８、ＬＥＤ表示部２７に電力（スタンバイ電力）の供給を行い、制御部２０は、この電力供給を受けて、制御プログラムに従った動作を開始する。商用電源が供給された直後には、プロジェクタ本体２は、スタンバイ状態（オフ状態ともいう）であり、この状態では、制御部２０は、リモコン４０から送信される電源オン情報を待機する。
【００５２】
図５は、リモコン４０のオン操作に応じたプロジェクタ本体２の動作を説明するためのフローチャートである。スタンバイ状態において、受信部２８がリモコン４０から送信された電源オン情報を受信し、これが制御部２０に出力されると、プロジェクタ本体２は、図５に示すフローに従って動作する。
【００５３】
図５に示すように、ステップＳ２０１では、受信部２８は、電源オン情報に続いて送信される暗証番号情報を受信して制御部２０に出力し、制御部２０は、入力される暗証番号情報を自らのＲＡＭに一時的に記憶する。なお、リモコン４０から暗証番号情報が送信されなかった場合には、制御部２０は、暗証番号情報を受信していないことを示すデータをＲＡＭに記憶する。
【００５４】
ステップＳ２０２では、制御部２０は、記憶部２１に記憶されている設定データを参照して、ユーザ認証機能が有効か否かを判断する。この結果、ユーザ認証機能が有効である場合にはステップＳ２０３に移行し、ユーザ認証機能が無効である場合にはステップＳ２０４に移行する。
【００５５】
ユーザ認証機能が有効でありステップＳ２０３に移行した場合には、制御部２０は、リモコン４０に入力された暗証番号の正当性を検証するために、ステップＳ２０１でＲＡＭに一時記憶した暗証番号情報を、記憶部２１に予め記憶されている暗証番号情報と照合し、両者が一致するか否かを判断する。この結果、両者が一致する場合、即ち入力された暗証番号が正当である場合には、制御部２０は、プロジェクタ本体２の使用を許可すべく、ステップＳ２０４以降の処理を行う。一方、暗証番号情報が一致しない場合（暗証番号情報を受信していない場合も含む）には、プロジェクタ本体２の使用を禁止すべく、ステップＳ２０６に移行する。
【００５６】
ステップＳ２０４では、制御部２０は、電源回路２５に指示をして動作電力の供給を開始させ、プロジェクタ本体２を動作可能な状態（オン状態）とする。その後、制御部２０は、記憶部２１に記憶されている各種設定データを読み出して、設定されている動作条件でプロジェクタ本体２が動作するよう、設定データに応じた初期化処理を各部に施す。
【００５７】
続くステップＳ２０５では、制御部２０は、光源制御部２６に指示をして、光源１１を点灯させて、オン操作時の処理を終了する。これ以降、入力端子群２２に入力される画像情報に応じた入力画像が画像投写部１０から投写される。
【００５８】
一方、ステップＳ２０３において暗証番号が一致せずにステップＳ２０６に移行した場合には、制御部２０は、ＬＥＤ表示部２７に指示をしてＬＥＤを所定の点灯状態とし、暗証番号が一致せずに認証されなかった旨（認証エラー）をユーザに報知する。そして、スタンバイ状態のままオン操作時の処理を終了する。
【００５９】
プロジェクタ本体２は上記のように動作するため、ユーザ認証機能が無効に設定されている場合には、暗証番号の有無や暗証番号が一致しているか否かに拘わらず、プロジェクタ本体２をオン状態として入力画像を表示させることが可能である。一方、ユーザ認証機能が有効に設定されている場合には、リモコン４０に入力された暗証番号が正当である場合、即ち記憶部２１に記憶されている暗証番号と一致する場合にのみ、プロジェクタ本体２をオン状態として入力画像を表示させることが許可される。
【００６０】
以上説明したように、本実施形態のプロジェクタ１によれば、以下の効果を得ることができる。
（１）本実施形態のプロジェクタ１によれば、リモコン４０に対して入力される暗証番号は、一旦暗証番号記憶部５１ａに記憶され、電源キー４１が操作された場合にプロジェクタ本体２に送信されるため、暗証番号の入力操作を行っている間は、リモコン４０を、プロジェクタ本体２との通信が可能な状態にする必要がなくなる。この結果、暗証番号の入力操作を第三者に見られることなく行うことが容易になる。
【００６１】
（２）本実施形態のプロジェクタ１によれば、暗証番号が入力された後、プロジェクタ本体２の動作状態をスタンバイ状態からオン状態に切り替えるための電源キー４１が操作された場合に暗証番号が送信されるため、電源のオン操作とは別に暗証番号を送信するための操作を行う必要がなくなり、利便性が向上する。
【００６２】
（３）本実施形態のプロジェクタ１によれば、リモコン４０から送信される暗証番号が正当である場合にプロジェクタ本体２をオン状態とするため、正当性の検証が済むまでプロジェクタ本体２をスタンバイ状態にしておくことが可能となり、電力の消費が抑制される。また、検証の結果、暗証番号が正当でない場合には、スタンバイ状態が継続することになるため、不正な第三者の操作によって電力が消費されてしまう事態を抑制することができる。
【００６３】
（４）本実施形態のプロジェクタ１によれば、リモコン４０から送信される暗証番号が正当である場合に光源１１を点灯させる構成であるため、正当性の検証が済むまで光源１１を消灯させておくことが可能となり、電力の消費が抑制される。また、検証の結果、暗証番号が正当でない場合には、光源１１が消灯した状態が継続することになるため、不正な第三者の操作による電力の消費や光源１１の消耗が抑制され、プロジェクタ本体２の長寿命化を図ることが可能となる。
【００６４】
なお、本実施形態では、プロジェクタ本体２の使用の許可を得るために行う暗証番号の入力操作が、認証操作に相当し、リモコン４０に備わる数字キー４８は、認証操作を行うための認証キーに相当する。そして、数字キー４８を所定の順序で操作することにより入力される暗証番号は、認証操作のシーケンスに相当し、リモコン４０に備わる電源キーは、暗証番号を送信するための送信キーに相当する。
【００６５】
（変形例）
また、前記実施形態は、以下のように変更してもよい。
前記実施形態では、暗証番号の桁数を４桁としているが、これに限定されない。また、桁数をユーザにより任意に設定できるようにするとともに、桁数が一致することをも認証の要件とすれば、ユーザ認証をより強固にすることができる。
【００６６】
前記実施形態では、暗証番号によって認証を行うようにしているが、英字やその他の文字や記号を含んだパスワードによって認証を行うようにしてもよい。或いは、リモコン４０に備わる各種機能キー（メニューキー４２、上方向キー４３、下方向キー４４、取消キー４６、入力ソース切替キー４７等）を所定の順序（シーケンス）で操作することを認証の要件にしてもよい。
【００６７】
前記実施形態では、リモコン４０とプロジェクタ本体２とが赤外線により通信を行う態様を示しているが、赤外線以外の光通信であってもよいし、電波や超音波等を用いた通信方式を採用してもよい。
【００６８】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００６９】
前記実施形態では、光源１１は、放電型の光源ランプ１１ａによって構成されているが、ＬＥＤ光源等の固体光源や、その他の光源を用いることもできる。
【００７０】
前記実施形態では、プロジェクタ１を例にして説明しているが、認証操作を必要とする電子機器であれば、他の電子機器に適用することも可能である。この中でも、前記実施形態のように、光源（バックライトを含む）から射出された光を光変調装置（液晶装置等）により変調して画像を形成する画像表示装置（例えば、液晶表示装置やプロジェクタ等）に適用した場合には、光源１１を点灯させる前に認証を行う態様にすることにより、第三者が不正に使用しようとする場合でも、光源１１の点灯に伴う電力の消費や光源１１の消耗を抑制することができる。
【図面の簡単な説明】
【００７１】
【図１】プロジェクタの概略構成を示すブロック図。
【図２】リモコンの平面図。
【図３】リモコンの概略構成を示すブロック図。
【図４】オン操作を行う際のリモコンの動作を説明するためのフローチャート。
【図５】リモコンのオン操作に応じたプロジェクタ本体の動作を説明するためのフローチャート。
【符号の説明】
【００７２】
１…プロジェクタ、２…プロジェクタ本体、１０…画像投写部、１１…光源、１１ａ…光源ランプ、１１ｂ…リフレクタ、１２Ｒ，１２Ｇ，１２Ｂ…液晶ライトバルブ、１３…投写レンズ、１４…ライトバルブ駆動部、２０…制御部、２１…記憶部、２２…入力端子群、２２ａ…入力端子、２３…入力ソース選択部、２４…画像処理部、２５…電源回路、２６…光源制御部、２７…ＬＥＤ表示部、２８…受信部、４０…リモコン、４１…電源キー、４２…メニューキー、４３…上方向キー、４４…下方向キー、４５…決定キー、４６…取消キー、４７…入力ソース切替キー、４８…数字キー、４９…暗証キー、５０…制御部、５０ａ…タイマ、５１…記憶部、５１ａ…暗証番号記憶部、５２…キー検出部、５３…送信部、ＳＣ…スクリーン。
【図１】
2009021743.tif 000003
【図２】
2009021743.tif 000004
【図３】
2009021743.tif 000005
【図４】
2009021743.tif 000006
【図５】
2009021743.tif 000007